(57)【要約】    【課題】  柔軟なオンオフ制御を行うことのできる表示システムを提供する。    【解決手段】  図５Ａに示すように、パソコン２がオンの状態であり、ディスプレイ装置Ｄ１、Ｄ２、Ｄ３が全て動作している通常画面表示モードＳ４において、ディスプレイ装置Ｄ１を二次オフモードＳ２にする。これにより、ディスプレイ装置Ｄ１のＤＤＣ信号出力端子２６ａからは、電圧が出力されなくなる。その結果、後段のディスプレイ装置Ｄ２のＤＤＣ信号入力端子５０ａに、電圧が供給されなくなり、ディスプレイ装置Ｄ２は、ＮＬＲオフモードＳ５に入る。以下、同様にしてディスプレイ装置Ｄ３もＮＬＲオフモードＳ５に入る。【選択図】  図５
2008139772.tif 000002
【特許請求の範囲】
【請求項１】
コンピュータ本体に対して、デイジーチェーン接続された複数のディスプレイ装置を備えた表示システムであって、
前記ディスプレイ装置は、
制御信号を入力するための制御入力と、画像信号を入力するための画像入力と、  制御信号を出力するための制御出力と、画像信号を出力するための画像出力と、制御部とを備えており、
前記制御部は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とする表示システム。
【請求項２】
制御信号を入力するための制御入力と、画像信号を入力するための画像入力と、  制御信号を出力するための制御出力と、画像信号を出力するための画像出力と、制御部とを備えたディスプレイ装置であって、
前記制御部は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とするディスプレイ装置。
【請求項３】
請求項１または２の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、制御出力および画像出力を停止する二次オフモードに入り、
前記二次オフモードにおいて、前記二次スイッチがオンされたことを検出すると、画像信号の再生処理を開始するオンモードに入るよう制御すること
を特徴とする表示システムまたはディスプレイ装置。
【請求項４】
請求項１または２の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、制御出力および画像出力を継続する二次オフモードに入り、
前記二次オフモードにおいて、前記二次スイッチがオンされたことを検出すると、画像信号の再生処理を開始するオンモードに入るよう制御すること
を特徴とする表示システム、またはディスプレイ装置。
【請求項５】
請求項１または２の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、後段に他のディスプレイ装置が接続されていれば制御出力および画像出力を継続し、後段に他のディスプレイ装置が接続されていなければ制御出力および画像出力を停止する二次オフモードに入り、
前記二次オフモードにおいて、前記二次スイッチがオンされたことを検出すると、画像信号の再生処理を開始するオンモードに入るよう制御すること
を特徴とする表示システムまたはディスプレイ装置。
【請求項６】
請求項１〜５のいずれかのディスプレイ装置の制御部をコンピュータを用いて実現するためのプログラム。
【請求項７】
コンピュータ本体に対して、デイジーチェーン接続された複数のディスプレイ装置を備えた表示システムにおける表示制御方法であって、
前記ディスプレイ装置は、
制御信号を入力するための制御入力と、画像信号を入力するための画像入力と、  制御信号を出力するための制御出力と、画像信号を出力するための画像出力と、制御部とを備えており、
前記表示制御方法は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とする表示制御方法。
【発明の詳細な説明】
【技術分野】
【０００１】
この発明はディスプレイをデイジーチェーン接続した表示システムに関するものである。
【背景技術】
【０００２】
図１に示すように、一台のパソコン２に対し、複数のディスプレイ装置Ｄ１、Ｄ２、Ｄ３を直列にデイジーチェーンにて接続することが行われている。この際に用いられるディスプレイ装置Ｄ１、Ｄ２、Ｄ３は、前段のディスプレイ装置（またはパソコン）からの画像信号、制御信号などを受ける端子と、後段のディスプレイ装置に画像信号、制御信号などを出力する端子とを備えている。
【０００３】
このように複数のディスプレイ装置Ｄ１、Ｄ２、Ｄ３を接続したシステムにおいては、たとえば、パソコン２の電源スイッチを切った場合に、全てのディスプレイ装置Ｄ１、Ｄ２、Ｄ３の表示処理を停止したいという要請がある。同様に、あるディスプレイ装置の主電源スイッチ（一次スイッチ）またはパネル面スイッチ（二次スイッチ）をオフにした場合、それより下段のディスプレイ装置の表示処理を停止したいという要請がある。
【０００４】
さらに、上記のようにオフにした状態から、パソコン２の電源スイッチを投入した場合、あるいはオフにしていたディスプレイ装置の主電源スイッチ（一次スイッチ）またはパネル面スイッチ（二次スイッチ）をオンにした場合には、それより下段のディスプレイ装置において速やかに表示処理を再開させたいという要請もある。
【０００５】
たとえば、特許文献１には、パソコンまたは上段側のディスプレイ装置の電源をオフにした場合、その旨を制御信号として下段側に送信し、下段側のディスプレイ装置がこれを判断して、表示処理を停止するシステムが開示されている。
【０００６】
【特許文献１】特許第３７９５４４２号公報
【発明の開示】
【発明が解決しようとする課題】
【０００７】
しかしながら、上記の従来技術では、下段側のディスプレイ装置をオフにするために制御信号を用いた通信を行っているので、構成が簡単ではないという問題があった。
【０００８】
さらに、一旦オフにしたディスプレイ装置をオンに戻しても、その下段側のディスプレイ装置を自動的にオンに戻すことはできなかった。
【０００９】
さらにまた、下段側のディスプレイ装置に影響を与えることなく、ディスプレイ装置をオフ状態にすることを可能にするものではなかった。
【００１０】
本発明は上記のような問題点を解決して、柔軟なオンオフ制御を行うことのできる表示システムを提供することを目的とする。
【課題を解決するための手段】
【００１１】
(1)この発明に係る表示システムは、
コンピュータ本体に対して、デイジーチェーン接続された複数のディスプレイ装置を備えた表示システムであって、前記ディスプレイ装置は、制御信号を入力するための制御入力と、画像信号を入力するための画像入力と、制御信号を出力するための制御出力と、画像信号を出力するための画像出力と、制御部とを備えており、
前記制御部は、前記制御入力が無くなったことを検出すると、制御入力の有無の検出を行う処理を継続しつつ、画像信号の再生処理を停止するとともに、制御出力および画像出力を停止する暫定オフモードに入り、前記暫定オフモードにおいて、前記制御入力が有ることを検出すると、画像信号の再生処理を開始するとともに、制御出力および画像出力を開始するオンモードに入るよう制御することを特徴としている。
【００１２】
したがって、コンピュータ本体またはディスプレイ装置をオフモードにすることによって、後段に接続されたディスプレイ装置を自動的に暫定オフモードにすることができる。
【００１３】
(2)この発明に係るディスプレイ装置は、
制御信号を入力するための制御入力と、画像信号を入力するための画像入力と、制御信号を出力するための制御出力と、画像信号を出力するための画像出力と、制御部とを備えたディスプレイ装置であって、
前記制御部は、前記制御入力が無くなったことを検出すると、制御入力の有無の検出を行う処理を継続しつつ、画像信号の再生処理を停止するとともに、制御出力および画像出力を停止する暫定オフモードに入り、前記暫定オフモードにおいて、前記制御入力が有ることを検出すると、画像信号の再生処理を開始するとともに、制御出力および画像出力を開始するオンモードに入るよう制御することを特徴としている。
【００１４】
したがって、コンピュータ本体またはディスプレイ装置をオフモードにすることによって、後段に接続されたディスプレイ装置を自動的に暫定オフモードにすることができる。
【００１５】
(3)この発明に係る表示システムは、
制御部が、さらに、前記二次スイッチがオフされたことを検出すると、制御入力の有無の検出および当該二次スイッチの状態変化の検出を行う処理を継続しつつ、画像信号の再生処理を停止するとともに、制御出力および画像出力を停止する二次オフモードに入り、前記二次オフモードにおいて、前記二次スイッチがオンされたことを検出すると、画像信号の再生処理を開始するオンモードに入るよう制御することを特徴としている。
【００１６】
(4)この発明に係る表示システムは、
制御部が、さらに、前記二次スイッチがオフされたことを検出すると、制御入力の有無の検出および当該二次スイッチの状態変化の検出を行う処理を継続しつつ、画像信号の再生処理を停止するとともに、制御出力および画像出力を継続する二次オフモードに入り、前記二次オフモードにおいて、前記二次スイッチがオンされたことを検出すると、画像信号の再生処理を開始するオンモードに入るよう制御することを特徴としている。
【００１７】
したがって、後段に接続されたディスプレイ装置の動作モードに影響を与えることなく、特定のディスプレイ装置のオンオフを切り替えることができる。
【００１８】
(5)この発明に係る表示システムは、
制御部が、さらに、前記二次スイッチがオフされたことを検出すると、制御入力の有無の検出および当該二次スイッチの状態変化の検出を行う処理を継続しつつ、画像信号の再生処理を停止するとともに、後段に他のディスプレイ装置が接続されていれば制御出力および画像出力を継続し、後段に他のディスプレイ装置が接続されていなければ制御出力および画像出力を停止する二次オフモードに入り、前記二次オフモードにおいて、前記二次スイッチがオンされたことを検出すると、画像信号の再生処理を開始するオンモードに入るよう制御することを特徴としている。
【００１９】
したがって、後段にディスプレイ装置が接続されている場合には、後段のディスプレイ装置の動作モードに影響を与えることなく、特定のディスプレイ装置のオンオフを切り替えることができるとともに、後段にディスプレイ装置が接続されていない場合には、不要な出力を排除して、省電力を達成することができる。
【００２０】
この発明における「暫定オフモード」とは、少なくとも、ユーザによる操作を経ることなく、通常画面表示モードに復帰可能なモードをいい、実施形態においては、ＮＬＲオフモードがこれに対応する。
【００２１】
「二次オフモード」とは、電源供給を直接的に遮断した状態ではなく、制御部の制御の下に、動作を停止させているモードをいう。
【００２２】
「プログラム」とは、ＣＰＵにより直接実行可能なプログラムだけでなく、ソース形式のプログラム、圧縮処理がされたプログラム、暗号化されたプログラム等を含む概念である。
【発明を実施するための形態】
【００２３】
１．第１の実施形態
1.1ハードウエア構成
図１に、本発明の第１の実施形態による表示システムの構成例を示す。パソコン２に対し、ディスプレイ装置Ｄ１、Ｄ２、Ｄ３がデイジーチェーン接続されている。
【００２４】
図２に、ディスプレイ装置Ｄ１、Ｄ２、Ｄ３の接続関係と、それぞれのハードウエア構成を示す。以下、ディスプレイ装置Ｄ１について説明する。ＤＤＣ信号入力端子１０ａには、ＤＤＣ信号ライン１２が接続される。同様に、画像信号入力端子１０ｂ、検出出力端子１０ｃには、それぞれ、画像信号ライン１４、検出ライン１６が接続される。ＤＤＣ信号ライン１２は、制御信号を通信するためのラインである。画像信号ライン１４は、パソコン２から画像信号を送信するためのラインである。検出ライン１６は、ディスプレイ装置が接続されているか否かを検出するためのラインである。
【００２５】
画像信号入力処理・画像入力信号検出回路１８は、画像信号ラインからの画像信号を受けて、画像表示部２０に渡すための回路である。また、画像信号が有るか否かを判断するものでもある。この画像信号の有無は、マイコン２２が監視している。
【００２６】
画像表示部２０は、画像信号入力処理・画像入力信号検出回路１８の出力を受けて、画像を表示するものである。
【００２７】
画像信号出力処理回路２４は、画像信号入力処理・画像入力信号検出回路１８からの画像信号の波形を整形して、画像信号出力端子２６ｂに与える。この画像信号は、画像信号ライン５４を介して、後段のディスプレイ装置Ｄ２に与えられる。
【００２８】
制御部であるマイコン２２は、画像信号入力処理・画像入力信号検出回路１８、画像表示部２０、画像信号出力処理回路２４を制御する。また、画像信号入力処理・画像入力信号検出回路１８から、画像信号が与えられているかどうかの情報を受け取る。さらに、ＤＤＣ信号ライン１２に所定の電圧（５Ｖなど）が印加されているかの検出結果を取得する。ＤＤＣ信号ライン１２に電圧が印加されていると判断すると、スイッチ３２をオンにする。これにより、ＤＤＣ信号出力端子２６ａに電圧が出力される。
【００２９】
一次スイッチ２８は、ユーザによって操作可能なスイッチであり、主電源をオンオフするものである。これがオフにされると、マイコン２２を含めた回路全部への電力供給が絶たれる。
【００３０】
二次スイッチ３０は、ユーザによって操作可能なスイッチである。ユーザによって操作されると、マイコン２２がこれを検知し、現在の状況を変化させる。
【００３１】
上記ではディスプレイ装置Ｄ１について説明したが、他のディスプレイ装置Ｄ２、Ｄ３についても同様の構成となっている。
【００３２】
1.2マイコンの処理内容
マイコン２２に記録された制御プログラムを、図３に状態遷移図として示す。たとえば、現在、通常画面表示モードＳ４にあるとする。この状態において、一次スイッチ２８がオフにされると、全ての回路への電力供給が絶たれ、ＡＣオフモードＳ１となる。なお、一次スイッチ２８がオフされた場合には、このように強制的にマイコン２２も含めた各回路への電力供給が断たれ、マイコン２２によって制御されてＡＣオフモードＳ１になるのではない。
【００３３】
ＡＣオフモードＳ１から、一次スイッチ２８がオンにされると、マイコン２２は、起動処理を行い（起動中モードＳ３）、通常画面表示モードＳ４となる。通常画面表示モードＳ４では、マイコン２２は、画像信号ライン１４から送られてきた画像信号について、画像信号入力処理・画像入力信号検出回路１８にて処理した後、画像表示部２０にて表示処理を行うように制御する。また、画像信号出力処理回路２４は、画像信号を整形処理して、画像信号出力端子２６ｂに出力する。
【００３４】
上記のように、通常画面表示モードＳ４においては、図４の表に示すように、全ての回路が動作し、後段に対して、ＤＤＣ信号出力、画像信号出力もなされる。
【００３５】
通常画面表示モードＳ４において、二次スイッチ３０が操作されると、マイコン２２はこれを検知し、二次オフモードＳ２の制御を行う。二次オフモードＳ２では、マイコン２２は、画像信号入力処理・画像入力信号検出回路１８、画像表示部２０、画像信号出力処理回路２４への電力供給を絶ち、その処理を停止させる。したがって、画像信号出力端子２６ｂへの画像信号出力も停止される。また、マイコン２２は、スイッチ３２をオフにして、ＤＤＣ信号出力端子２６ａへの電圧出力も停止する。
【００３６】
上記のように、二次オフモードＳ２においては、図４の表に示すように、全ての回路が停止し、後段に対するＤＤＣ信号出力、画像信号出力も停止される。ただし、二次オフモードＳ２においては、マイコンは、二次スイッチ３０が操作されたか否かの判断だけは継続する。
【００３７】
二次オフモードＳ２において、二次スイッチ３０が操作されると、マイコン２２はこれを検知し、起動処理を行い（起動中モードＳ３）、再び通常画面表示モードＳ４に入る。
【００３８】
通常画面表示モードＳ４において、ＤＤＣ信号入力端子１０ａの電圧が無くなると、マイコン２２はこれを検知し、暫定オフモードであるNon-Link Recoverable OffモードＳ５（以下ＮＬＲオフモード）に入る。ＮＬＲオフモードＳ５では、マイコン２２は、画像信号入力処理・画像入力信号検出回路１８、画像表示部２０、画像信号出力処理回路２４への電力供給を絶ち、その処理を停止させる。したがって、画像信号出力端子２６ｂへの画像信号出力も停止される。また、マイコン２２は、スイッチ３２をオフにして、ＤＤＣ信号出力端子２６ａへの電圧出力も停止する。
【００３９】
上記のように、ＮＬＲオフモードＳ５においては、図４の表に示すように、全ての回路が停止し、後段に対するＤＤＣ信号出力、画像信号出力も停止される。
【００４０】
ただし、ＮＬＲオフモードＳ５においては、マイコンは、二次スイッチ３０が操作されたか否かの判断およびＤＤＣ信号入力端子１０ａに電圧が与えられたかどうかの判断だけは継続する。
【００４１】
ＮＬＲオフモードＳ５において、ＤＤＣ信号入力端子１０ａに電圧が検出されるか、あるいは二次スイッチ３０が操作されると、マイコン２２はこれを検知して、起動処理を行い（起動中モードＳ３）、再び通常画面表示モードＳ４に入る。
【００４２】
1.3システム全体としての動作
たとえば、図５Ａに示すように、パソコン２がオンの状態であり、ディスプレイ装置Ｄ１、Ｄ２、Ｄ３が全て動作している通常画面表示モードＳ４にあったとする。この場合には、全てのディスプレイ装置Ｄ１、Ｄ２、Ｄ３において画像が表示される。
【００４３】
ここで、ユーザが、全てのディスプレイ装置Ｄ１、Ｄ２、Ｄ３の画像表示を停止させたい場合、パソコン２をオフにするか、ディスプレイ装置Ｄ１を二次オフモードＳ２（あるいはＡＣオフモードＳ１）にするだけでよい。
【００４４】
パソコン２をオフにすると、ディスプレイ装置Ｄ１のＤＤＣ信号入力端子１０ａに、電圧が供給されなくなる。これにより、ディスプレイ装置Ｄ１は、ＮＬＲオフモードＳ５に入る。したがって、ディスプレイ装置Ｄ１のＤＤＣ信号出力端子２６ａからは、電圧が出力されなくなる（図４参照）。
【００４５】
その結果、後段のディスプレイ装置Ｄ２のＤＤＣ信号入力端子５０ａに、電圧が供給されなくなり、ディスプレイ装置Ｄ２も、ＮＬＲオフモードＳ５に入る。以下、同様にしてディスプレイ装置Ｄ３もＮＬＲオフモードＳ５に入る。
【００４６】
このように、全てのディスプレイ装置Ｄ１、Ｄ２、Ｄ３を自動的にＮＬＲオフモードにすることができる（図５Ｂ参照）。
【００４７】
ディスプレイ装置Ｄ１の二次スイッチ３０を操作して二次オフモードＳ２にした場合、あるいは一次スイッチ２８を操作してＡＣオフモードＳ１にした場合にも、ディスプレイ装置Ｄ１のＤＤＣ信号出力端子２６ａからは、電圧が出力されなくなり、上記と同様の結果が得られる（図５Ｃ参照）。
【００４８】
また、ディスプレイ装置Ｄ２を二次オフモードＳ２（あるいはＡＣオフモードＳ１）にした場合には、ディスプレイ装置Ｄ３を自動的にＮＬＲオフモードＳ５にすることができる（図５Ｄ参照）。すなわち、あるディスプレイ装置を二次オフモードＳ２（あるいはＡＣオフモードＳ１）にすることにより、それより後段のディスプレイ装置を全て自動的にＮＬＲオフモードＳ５にすることができる。
【００４９】
上記のように自動的にＮＬＲオフモードＳ５にしたディスプレイ装置は、前段のディスプレイ装置を通常画面表示モードＳ４にすることにより、自動的に通常画面表示モードＳ４に復帰する。たとえば、図５Ｂのような状態において、パソコン２の電源を投入すると、ディスプレイ装置Ｄ１のＤＤＣ信号入力端子１０ａに、電圧が供給される。これにより、ディスプレイ装置Ｄ１は、ＮＬＲオフモードＳ５から通常画面表示モードＳ４に入る。
【００５０】
ディスプレイ装置Ｄ１が通常画面表示モードＳ４に入ると、後段のディスプレイ装置Ｄ２に対して、ＤＤＣ制御の電圧が与えられる（図４参照）。したがって、ディスプレイ装置Ｄ２も、通常画面表示モードＳ４となる。以下、同様にして、ディスプレイ装置Ｄ３も通常画面表示モードＳ４となる。つまり、図５Ａの状態に復帰する。
【００５１】
また、図５Ｄの状態において、ディスプレイ装置Ｄ２の二次スイッチ７０を操作して、通常画面表示モードＳ４にすると、ディスプレイ装置Ｄ３が自動的に通常画面表示モードＳ４になる。すなわち、あるディスプレイ装置を通常画面モードＳ４にすることにより、それより後段のＮＬＲオフモードＳ５であったディスプレイ装置を全て自動的に通常画面表示モードＳ４にすることができる。
【００５２】
２．第２の実施形態
上記第１の実施形態では、ディスプレイ装置を二次オフモードＳ２（あるいはＡＣオフモードＳ１）にすると、それより後段のディスプレイ装置を、自動的にＮＬＲオフモードＳ５にするようにしている。あるいは、ディスプレイ装置を通常画面表示モードＳ４にすると、それより後段のＮＬＲオフモードＳ５であったディスプレイ装置を、自動的に通常画面表示モードＳ４にするようにしている。
【００５３】
第２の実施形態によれば、ディスプレイ装置を二次オフモードＳ２にした場合に、それより後段のディスプレイ装置をそのまま通常画面表示モードＳ４にするように制御できる。
【００５４】
2.1ハードウエア構成
第２の実施形態におけるハードウエア構成は、図２に示す第１の実施形態と同様である。
【００５５】
2.2マイコンの処理内容
マイコン２２に記録された制御プログラムを、図６に状態遷移図として示す。ＡＣオフモードＳ１、通常画面表示モードＳ４は、第１の実施形態と同じである。
【００５６】
通常画面表示モードＳ４において、二次スイッチ３０が操作されると、マイコン２２はこれを検知し、二次オフモードの制御を行う。ただし、この実施形態においては、マイコン２２は、後段にディスプレイ装置が接続されているか否かを検出入力端子２６ｃによって検出する。ディスプレイ装置が接続されていなければ、二次オフモードＳ２ａに入り、ディスプレイ装置が接続されていれば、二次オフモードＳ２ｂに入る。
【００５７】
後段が接続されていない時の二次オフモードＳ２ａでは、マイコン２２は、画像信号入力処理・画像入力信号検出回路１８、画像表示部２０、画像信号出力処理回路２４への電力供給を絶ち、その処理を停止させる。したがって、画像信号出力端子２６ｂへの画像信号出力も停止される。ただし、マイコン２２は、スイッチ３２をオンのままにして、ＤＤＣ信号出力端子２６ａへの電圧出力を継続する。したがって、マイコン２２は、その後、後段にディスプレイ装置が接続された場合にこれを検出して、下記の後段が接続されている時の二次オフモードＳ２ｂに移行することが可能である。
【００５８】
上記のように、二次オフモードＳ２ａにおいては、図７の表に示すように、後段に対するＤＤＣ信号出力を除いて全ての回路が停止し、画像信号出力も停止される。ただし、二次オフモードＳ２ａにおいては、マイコンは、二次スイッチ３０が操作されたか否かの判断および、後段にディスプレイが接続されたか否かの判断（２６ｃの監視）は継続する。
【００５９】
後段が接続されている時の二次オフモードＳ２ｂでは、マイコン２２は、画像表示部２０への電力供給を絶ち、その処理を停止させる。しかし、画像信号入力処理・画像入力信号検出回路１８、画像信号出力処理回路２４の動作は継続させるので、画像信号出力端子２６ｂへの画像信号出力は継続される。また、マイコン２２は、スイッチ３２をオンのままにして、ＤＤＣ信号出力端子２６ａへの電圧出力も継続する（図７参照）。
【００６０】
上記のように、二次オフモードＳ２ｂにおいては、図７の表に示すように、画像表示部２０が停止し、後段に対するＤＤＣ信号出力、画像信号出力は継続される。また、マイコン２２は、二次スイッチ３０が操作されたか否か、ＤＤＣ信号入力端子１０ａに電圧が供給されたか否かの判断を継続する。
【００６１】
なお、二次オフモードＳ２ｂにおいて、後段のディスプレイ装置が外されると、マイコン２２はこれを検出し、二次オフモードＳ２ａに入る。逆に、二次オフモードＳ２ａにおいて、後段にディスプレイ装置が接続されると、マイコン２２はこれを検出し、二次オフモードＳ２ｂに入る。
【００６２】
二次オフモードＳ２ａ、Ｓ２ｂにおいて、二次スイッチ３０が操作されると、マイコン２２はこれを検知し、起動処理を行い（起動中モードＳ３）、再び通常画面表示モードＳ４に入る。
【００６３】
その他の処理は、第１の実施形態と同様である。
【００６４】
2.3システム全体としての動作
たとえば、図８Ａに示すように、パソコン２がオンの状態であり、ディスプレイ装置Ｄ１、Ｄ２、Ｄ３が全て通常画面表示モードＳ４にあったとする。この場合には、全てのディスプレイ装置Ｄ１、Ｄ２、Ｄ３において画像が表示される。
【００６５】
ここで、ユーザが、全てのディスプレイ装置Ｄ１、Ｄ２、Ｄ３の画像表示を停止させたい場合、パソコン２をオフにするか、ディスプレイ装置Ｄ１をＡＣオフモードにするだけでよい。パソコン２をオフにすると、ディスプレイ装置Ｄ１、Ｄ２、Ｄ３が、全てＮＬＲオフモードＳ５になる点は、第１の実施形態と同じである（図８Ｂ参照）。
【００６６】
図８Ａに示す状態において、ディスプレイ装置Ｄ１の一次スイッチ２８を操作すると、ＡＣオフモードＳ１に入る。したがって、ディスプレイ装置Ｄ１は画像を表示しなくなり、ＤＤＣ信号出力端子２６ａの電圧供給が停止され、画像信号出力端子２６ｂへの画像信号出力も停止される。したがって、ディスプレイ装置Ｄ２は、ＮＬＲオフモードＳ５になる。同様に、ディスプレイ装置Ｄ３も、ＮＬＲオフモードＳ５になる（図８Ｃ参照）。
【００６７】
図８Ａに示す状態において、ディスプレイ装置Ｄ１の二次スイッチ３０を操作すると、後段にディスプレイ装置Ｄ２が接続されていることから、二次オフモードＳ２ｂに入る。したがって、ディスプレイ装置Ｄ１は画像を表示しなくなる。しかし、二次オフモードＳ２ｂにおいては、ＤＤＣ信号出力端子２６ａに電圧が供給され、画像信号出力端子２６ｂに画像信号が出力される。したがって、ディスプレイ装置Ｄ２は、ＮＬＲオフモードＳ５にならず、そのまま通常画面表示モードを継続する。同様に、ディスプレイ装置Ｄ３も、通常画面表示モードを継続する（図８Ｄ参照）。
【００６８】
図８Ａに示す状態において、ディスプレイ装置Ｄ２の二次スイッチ７０を操作すると、上記と同じようにして、ディスプレイ装置Ｄ２だけが二次オフモードＳ２ｂになる（図８Ｅ参照）。
【００６９】
このように、後段のディスプレイの動作モードを変えることなく、所望のディスプレイ装置のみを二次オフモードにすることができる。
【００７０】
なお、後段にディスプレイが接続されていない場合（たとえばディスプレイ装置Ｄ３の場合）には、二次スイッチ７０を操作した場合に、二次オフモードＳ２ａに入る。前述のように、二次オフモードＳ２ａでは、後段の接続がないので、消費電力節約のために、画像信号出力を停止する。
【００７１】
３．その他の実施形態
なお、上記第２の実施形態では、後段が接続されていない時の二次オフモードＳ２ａにおいて、ＤＤＣ信号出力端子２６ａへの電圧出力は継続するようにしている。しかし、さらなる消費電力の節約のため、ＤＤＣ信号出力端子２６ａへの電圧出力を停止するようにしてもよい。さらに二次オフモードＳ２ｂにおいて画像信号入力端子２６ｂの信号入力がない場合、もしくはＤＤＣ信号入力端子１０ａの電圧がない場合には、画像信号出力処理回路２４への電力供給を絶ち、その処理を停止させてもよい。
【００７２】
また、上記第１・第２の実施形態において、通常画面表示モードの際に、マイコン２２は、後段にディスプレイ装置が接続されているか否かを判断し、接続されていない場合には、後段への画像信号の出力を停止するようにしても良い。これにより、省電力を図ることができる。
【００７３】
上記の第１の実施形態の動作と、第２の実施形態の動作を、ＯＳＤなどによってユーザが選択して使用できるようにしてもよい。これにより、ユーザの使用状況に合致した動作形態を選択することができる。
【００７４】
上記実施形態では、マイコンを用いた制御を行っているが、その機能の一部または全部をハードウエアロジックによって構築してもよい。
【図面の簡単な説明】
【００７５】
【図１】システムの全体構成を示す図である。
【図２】ディスプレイ装置のハードウエア構成を示す図である。
【図３】第１の実施形態における制御プログラムの動作を示す状態遷移図である。
【図４】第１の実施形態における各モードにおける状態を示す図である。
【図５】第１の実施形態におけるシステム全体の動作を示す図である。
【図６】第２の実施形態における制御プログラムの動作を示す状態遷移図である。
【図７】第２の実施形態における各モードにおける状態を示す図である。
【図８】第２の実施形態におけるシステム全体の動作を示す図である。
【符号の説明】
【００７６】
２０・・・画像表示部
２２・・・マイコン
２４・・・画像信号出力処理回路
２８・・・一次スイッチ
３０・・・二次スイッチ
【図１】
2008139772.tif 000003
【図２】
2008139772.tif 000004
【図３】
2008139772.tif 000005
【図４】
2008139772.tif 000006
【図５】
2008139772.tif 000007
【図６】
2008139772.tif 000008
【図７】
2008139772.tif 000009
【図８】
2008139772.tif 000010
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
コンピュータ本体に対して、デイジーチェーン接続された複数のディスプレイ装置を備えた表示システムであって、
前記ディスプレイ装置は、
制御信号を入力するための制御入力と、画像信号を入力するための画像入力と、制御信号を出力するための制御出力と、画像信号を出力するための画像出力と、制御部とを備えており、
前記制御部は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とする表示システム。
【請求項２】
制御信号を入力するための制御入力と、画像信号を入力するための画像入力と、制御信号を出力するための制御出力と、画像信号を出力するための画像出力と、制御部とを備えたディスプレイ装置であって、
前記制御部は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とするディスプレイ装置。
【請求項３】
請求項１または２の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、制御出力および画像出力を停止する二次オフモードに入り、
前記二次オフモードにおいて、前記二次スイッチがオンされたことを検出すると、画像信号の再生処理を開始するオンモードに入るよう制御すること
を特徴とする表示システムまたはディスプレイ装置。
【請求項４】
請求項１または２の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、制御出力および画像出力を継続する二次オフモードに入り、
前記二次オフモードにおいて、前記二次スイッチがオンされたことを検出すると、画像信号の再生処理を開始するオンモードに入るよう制御すること
を特徴とする表示システム、またはディスプレイ装置。
【請求項５】
請求項１または２の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、後段に他のディスプレイ装置が接続されていれば制御出力および画像出力を継続し、後段に他のディスプレイ装置が接続されていなければ制御出力および画像出力を停止する二次オフモードに入り、
前記二次オフモードにおいて、前記二次スイッチがオンされたことを検出すると、画像信号の再生処理を開始するオンモードに入るよう制御すること
を特徴とする表示システムまたはディスプレイ装置。
【請求項６】
請求項１〜５のいずれかのディスプレイ装置の制御部をコンピュータを用いて実現するためのプログラム。
【請求項７】
コンピュータ本体に対して、デイジーチェーン接続された複数のディスプレイ装置を備えた表示システムにおける表示制御方法であって、
前記ディスプレイ装置は、
制御信号を入力するための制御入力と、画像信号を入力するための画像入力と、制御信号を出力するための制御出力と、画像信号を出力するための画像出力と、制御部とを備えており、
前記表示制御方法は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とする表示制御方法。
【手続補正２】
【補正対象書類名】明細書
【補正対象項目名】００７１
【補正方法】変更
【補正の内容】
【００７１】
３．その他の実施形態
なお、上記第２の実施形態では、後段が接続されていない時の二次オフモードＳ２ａにおいて、ＤＤＣ信号出力端子２６ａへの電圧出力は継続するようにしている。しかし、さらなる消費電力の節約のため、ＤＤＣ信号出力端子２６ａへの電圧出力を停止するようにしてもよい。さらに二次オフモードＳ２ｂにおいて画像信号入力端子１０ｂの信号入力がない場合、もしくはＤＤＣ信号入力端子１０ａの電圧がない場合には、画像信号出力処理回路２４への電力供給を絶ち、その処理を停止させてもよい。
【手続補正書】
【提出日】平成20年3月6日(2008.3.6)
【手続補正１】
【補正対象書類名】特許請求の範囲
【補正対象項目名】全文
【補正方法】変更
【補正の内容】
【特許請求の範囲】
【請求項１】
コンピュータ本体に対して、デイジーチェーン接続された複数のディスプレイ装置を備えた表示システムにおける表示制御方法であって、
前記ディスプレイ装置は、
制御信号を入力するための制御入力と、画像信号を入力するための画像入力と、制御信号を出力するための制御出力と、画像信号を出力するための画像出力と、制御部とを備えており、
前記表示制御方法は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御され、
コンピュータ本体またはその後段にデイジーチェーン接続されたディスプレイ装置のいずれかを、オフ状態にすることにより、当該オフ状態としたコンピュータ本体またはディスプレイ装置より後段に接続されたディスプレイ装置を暫定オフモードにし、
オフ状態のコンピュータ本体またはディスプレイ装置をオン状態にすることにより、後段に接続されたディスプレイ装置をオン状態とするようにしたこと
を特徴とする表示制御方法。
【請求項２】
コンピュータ本体に対して、デイジーチェーン接続された複数のディスプレイ装置を備えた表示システムであって、
前記ディスプレイ装置は、
制御信号を入力するための制御入力と、画像信号を入力するための画像入力と、制御信号を出力するための制御出力と、画像信号を出力するための画像出力と、制御部とを備えており、
前記制御部は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とする表示システム。
【請求項３】
制御信号を入力するための制御入力と、画像信号を入力するための画像入力と、制御信号を出力するための制御出力と、画像信号を出力するための画像出力と、制御部とを備えたディスプレイ装置であって、
前記制御部は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とするディスプレイ装置。
【請求項４】
請求項２または３の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、制御出力および画像出力を停止する二次オフモードに入り、
前記二次オフモードにおいて、前記二次スイッチがオンされたことを検出すると、画像信号の再生処理を開始するオンモードに入るよう制御すること
を特徴とする表示システムまたはディスプレイ装置。
【請求項５】
請求項２または３の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、制御出力および画像出力を継続する二次オフモードに入り、
前記二次オフモードにおいて、前記二次スイッチがオンされたことを検出すると、画像信号の再生処理を開始するオンモードに入るよう制御すること
を特徴とする表示システム、またはディスプレイ装置。
【請求項６】
請求項２または３の表示システムまたはディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、後段に他のディスプレイ装置が接続されていれば制御出力および画像出力を継続し、後段に他のディスプレイ装置が接続されていなければ制御出力および画像出力を停止する二次オフモードに入り、
前記二次オフモードにおいて、前記二次スイッチがオンされたことを検出すると、画像信号の再生処理を開始するオンモードに入るよう制御すること
を特徴とする表示システムまたはディスプレイ装置。
【請求項７】
請求項２〜６のいずれかのディスプレイ装置の制御部をコンピュータを用いて実現するためのプログラム。
【請求項８】
コンピュータ本体に対して、デイジーチェーン接続された複数のディスプレイ装置を備えた表示システムにおける表示制御方法であって、
前記ディスプレイ装置は、
制御信号を入力するための制御入力と、画像信号を入力するための画像入力と、制御信号を出力するための制御出力と、画像信号を出力するための画像出力と、制御部とを備えており、
前記表示制御方法は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とする表示制御方法。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
コンピュータ本体に対して、デイジーチェーン接続された複数のディスプレイ装置を備えた表示システムにおける表示制御方法であって、
前記ディスプレイ装置は、
制御信号を入力するための制御入力と、画像信号を入力するための画像入力と、制御信号を出力するための制御出力と、画像信号を出力するための画像出力と、制御部とを備えており、
前記表示制御方法は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御され、
コンピュータ本体またはその後段にデイジーチェーン接続されたディスプレイ装置のいずれかを、オフ状態にすることにより、当該オフ状態としたコンピュータ本体またはディスプレイ装置より後段に接続されたディスプレイ装置を暫定オフモードにし、
オフ状態のコンピュータ本体またはディスプレイ装置をオン状態にすることにより、後段に接続されたディスプレイ装置をオン状態とするようにしたこと
を特徴とする表示制御方法。
【請求項２】
コンピュータ本体に対して、デイジーチェーン接続された複数のディスプレイ装置を備えた表示システムであって、
前記ディスプレイ装置は、
制御信号を入力するための制御入力と、画像信号を入力するための画像入力と、制御信号を出力するための制御出力と、画像信号を出力するための画像出力と、制御部とを備えており、
前記制御部は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とする表示システム。
【請求項３】
制御信号を入力するための制御入力と、画像信号を入力するための画像入力と、制御信号を出力するための制御出力と、画像信号を出力するための画像出力と、制御部とを備えたディスプレイ装置であって、
前記制御部は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とするディスプレイ装置。
【請求項４】
請求項３のディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、制御出力および画像出力を停止する二次オフモードに入り、
前記二次オフモードにおいて、前記二次スイッチがオンされたことを検出すると、画像信号の再生処理を開始するオンモードに入るよう制御すること
を特徴とするディスプレイ装置。
【請求項５】
請求項３のディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、制御出力および画像出力を継続する二次オフモードに入り、
前記二次オフモードにおいて、前記二次スイッチがオンされたことを検出すると、画像信号の再生処理を開始するオンモードに入るよう制御すること
を特徴とするディスプレイ装置。
【請求項６】
請求項３のディスプレイ装置において、
前記制御部は、さらに
二次スイッチがオフされたことを検出すると、制御入力の有無の検出および当該二次スイッチの状態変化の検出を行う処理を継続しつつ、画像信号の再生処理を停止するとともに、後段に他のディスプレイ装置が接続されていれば制御出力および画像出力を継続し、後段に他のディスプレイ装置が接続されていなければ制御出力および画像出力を停止する二次オフモードに入り、
前記二次オフモードにおいて、前記二次スイッチがオンされたことを検出すると、画像信号の再生処理を開始するオンモードに入るよう制御すること
を特徴とするディスプレイ装置。
【請求項７】
請求項３〜６のいずれかのディスプレイ装置の制御部をコンピュータを用いて実現するためのプログラム。
【請求項８】
コンピュータ本体に対して、デイジーチェーン接続された複数のディスプレイ装置を備えた表示システムにおける表示制御方法であって、
前記ディスプレイ装置は、
制御信号を入力するための制御入力と、画像信号を入力するための画像入力と、制御信号を出力するための制御出力と、画像信号を出力するための画像出力と、制御部とを備えており、
前記表示制御方法は、
前記制御入力が無くなったことを検出すると、制御入力の有無の検出を行う処理を継続しつつ、画像信号の再生処理を停止するとともに、制御出力および画像出力を停止する暫定オフモードに入り、
前記暫定オフモードにおいて、前記制御入力が有ることを検出すると、画像信号の再生処理を開始するとともに、制御出力および画像出力を開始するオンモードに入るよう制御すること
を特徴とする表示制御方法。